(57)【要約】 【課題】折込鋸において使用時のロック構造と異なる係止部を採用して、収納時のロックを実現する。【解決手段】鋸刃体２の基部峰側縁に使用時係止凹部２３Ａを設け、先端側に係止爪４１を備えたロック操作体４を背金部１２の背側にシーソー構造のロック操作体４に装着した使用時ロック機構を備え、鋸刃体に収納時係止凹部２４を設け、ロック操作体側面部間に係止軸４２を、収納時係止凹部２４に出没自在に可動架設すると共に、背金部側面にガイド溝１３を形成し、ガイド溝１３と交差する操作溝４７をロック操作体に設け、ロック操作体の係止解除シーソー動作で係止軸４２を移動させる。【選択図】図８
2010042550.tif 000002
【特許請求の範囲】
【請求項１】
鋸刃体が挿入される挿入溝を有する柄体の先端に設けた背金部に、鋸刃体の基部を挟み込んで枢結して鋸刃体を折込自在とし、鋸刃体の基部峰側縁に使用時係止凹部を設けると共に、前記使用時係止凹部に対応する係止爪を先端側に備えたロック操作体を、係止爪が係止凹部に係合する係止方向に付勢し、前記背金部の背側にシーソー構造に装着してなる鋸使用時のロック機構を備えた折込鋸において、ロック操作体に背金部を挟んで対面する適宜大きさの側面部を有せしめると共に、鋸刃体を挿入溝に収納した際における前記ロック操作体側面部の動作範囲内の適宜位置に、鋸刃体が挿入溝から離脱する回動に対して回動阻止面となる側縁を有する収納時係止凹部を設け、前記収納時係止凹部と対応するロック操作体側面部間に係止軸を可動架設すると共に、背金部側面に前記収納時係止凹部の阻止面から離れる方向にガイド溝を形成し、前記ガイド溝と交差してロック操作体の係止解除シーソー動作でガイド溝に添って係止軸を移動可能とする操作溝をロック操作体側面に形成してなることを特徴とする折込鋸。
【請求項２】
収納時係止凹部のロック位置を、鋸刃体の枢結中心からの距離を基準として、使用時係止凹部のロック位置と一致させてなる請求項１記載の折込鋸。
【発明の詳細な説明】
【技術分野】
【０００１】
本発明は、折込鋸において、特にロック機構に関するものである。
【背景技術】
【０００２】
折込鋸は、鋸刃体の基部を、鋸刃体が挿入される挿入溝を設けた柄体の端部に枢結して、鋸刃体の突出（使用状態）並びに収納（非使用状態）を行うものであり、使用状態並びに収納状態において鋸刃体が不用意に回動しないように、適宜な鋸刃体のロック機構を付設している。
【０００３】
具体的には、柄体の先端に逆Ｕ字状の扁平な背金部を設け、前記背金部に鋸刃体の基部を枢結し、鋸刃体の基部外周に係止凹部を設け、背金部に、前記係止凹部に係合解除するロック機構を設けているものである。
【０００４】
ロック機構としは、特許文献１（実開昭６３−２７３０２号公報）に示されているように、係止凹部に係合する係止爪を一端側に設けると共に、係合方向に付勢したシーソー構造としたもの、特許文献２（実開昭５７−１８３１０７号公報）に示されているように係止凹部に係合する切欠軸部を、背金部を貫通し且つ回動自在に設けて、当該軸部の回動で係合解除を実施するもの、更には特許文献３（実開昭６２−１８５００１号公報）に示されているように係止凹部に係合する軸部を、軸方向に移動操作自在に設けて、当該軸部の移動で係合解除を実施するものが知られている。
【０００５】
【特許文献１】実開昭６３−２７３０２号公報。
【特許文献２】実開昭５７−１８３１０７号公報。
【特許文献３】実開昭６２−１８５００１号公報。
【発明の開示】
【発明が解決しようとする課題】
【０００６】
前記のロック機構のように収納時及び使用時において同一の係合構造を採用すると、鋸刃体の基部外周の約１８０度の位置に係止凹部を形成した半円形状としなければならないという鋸本体の基部形状が一定の制限を受けるので設計度の自由が阻害される。
【０００７】
また折込鋸において、鋸刃体収納時にはできるだけコンパクトにして、使用に際しては十分な刃渡り長を備えるのが合理的であるが、枢結部をできるだけ背金部の先端に設けた場合に、鋸刃体の基部形状が半円形である必要上、非円形として突出形状を変更して、より収納時の全長を小さくすることができない。
【０００８】
更に収納時及び使用時とでは、係止方向が相違するので係止爪を採用したロック機構においては、例えば使用時における安全性を高めるために、鋸刃体の収納方向回動を阻止するように係止方向の抵抗が大きくなる係止爪及び係止凹部の形状を設定すると、逆に収納時の係止があまくなってしまう。
【０００９】
そこで本発明は、シーソー構造の係止爪を採用したロック機構において、収納時の係止も確実に実現する新規なロック機構を備えた折込鋸を提案したものである。
【課題を解決するための手段】
【００１０】
本発明に係る折込鋸は、鋸刃体が挿入される挿入溝を有する柄体の先端に設けた背金部に、鋸刃体の基部を挟み込んで枢結して鋸刃体を折込自在とし、鋸刃体の基部峰側縁に使用時係止凹部を設けると共に、前記使用時係止凹部に対応する係止爪を先端側に備えたロック操作体を、係止爪が係止凹部に係合する係止方向に付勢し、前記背金部の背側にシーソー構造に装着してなる鋸使用時のロック機構を備えた折込鋸において、ロック操作体に背金部を挟んで対面する適宜大きさの側面部を有せしめ、鋸刃体を挿入溝に収納した際における前記ロック操作体側面部の動作範囲内の適宜位置に、鋸刃体が挿入溝から離脱する回動に対して回動阻止面となる側縁を有する収納時係止凹部を設け、前記収納時係止凹部と対応するロック操作体側面部間に係止軸を可動架設すると共に、背金部側面に前記収納時係止凹部の阻止面から離れる方向にガイド溝を形成し、前記ガイド溝と交差してロック操作体の係止解除シーソー動作でガイド溝に添って係止軸を移動可能とする操作溝をロック操作体側面に形成してなることを特徴とするものである。
【００１１】
而して、従前の折込鋸と同様に、枢結軸を中心に鋸刃体を回動することで使用状態と収納状態とするもので、使用時においては係止爪が使用時係止凹部に嵌り込んで係合状態となり、鋸本体の回動が阻止されロック状態となる。
【００１２】
収納状態とするにはロック操作体を操作して係止爪を使用時係止凹部から離脱させると鋸刃体は自由に回動できるので、収納方向に回動すると、使用時係止凹部の形成個所の直前に達すると、鋸刃体の基部外縁で係止軸を押し上げ、係止軸は、ガイド溝及び操作溝に添って上昇し、収納時係止凹部の位置に達すると、ロック操作体の付勢力で収納時係止凹部内に嵌り込み係合される。
【００１３】
従って収納時においては、収納時係止凹部と係止軸が係合して鋸本体の回動が阻止されロック状態となる。
【００１４】
尚単に係止軸をロック操作体の側面に固定的に架設し、鋸刃体の所定位置に収納時係止凹部を形成した場合には、係止軸の動作方向（＝係止凹部の溝方向）が、鋸刃体の柄体からの引出方向（枢結軸を中心とした円形に添う方向）との角度が小さくなり、完全なロックが実現できない。
【００１５】
また本発明（請求項２）に係る折込鋸は、上記の構成において特に、収納時係止凹部のロック位置を、鋸刃体の枢結中心からの距離を基準として、使用時係止凹部のロック位置と一致させてなるもので、使用時のロック状態のロック操作体の位置と、収納時のロック操作体の位置が一致する。
【発明の効果】
【００１６】
本発明の構成は上記のとおり、折込鋸のロック操作体に使用時ロック機構とは別に収納時ロック機構も組み込んだもので、使用時と収納時に対して同一ロック機構を採用した場合に比較して、鋸刃体の基部外縁形状を大きな制限を受けることがなく基部外形をコンパクトにできたものである。
【発明を実施するための最良の形態】
【００１７】
次に本発明の実施の形態について次に説明する。実施形態に示した折込鋸は、基本的には従前のロック機構つきの折込鋸と同一で、柄体１と鋸刃体２とを備え、柄体１には、鋸刃体２が挿入収納される挿入溝１１を設け、先部に扁平な逆Ｕ字状の背金部１２を設けたもので、前記背金部１２に鋸刃体２の基部２１を、収納時に鋸歯２２が挿入溝１１に対面するように枢結軸３で枢結したものである。
【００１８】
本発明は前記の折込構造に更にロック機構を組み込んだもので、ロック機構は、鋸刃体２に設けた使用時係止凹部２３Ａ，２３Ｂ、及び収納時係止凹部２４と、ロック操作体４と、背金部１２に設けたガイド溝１３で構成される。
【００１９】
鋸刃体２に設けた使用時係止凹部２３Ａ，２３Ｂは、鋸刃体２の基部峰側の外縁２５に設けたもので、鋸刃体２を使用状態とした際に、後述するロック操作体４の係止爪４１が嵌り込んで係合するもので、使用時係止凹部２３Ａ，２３Ｂは、使用時に際しての柄体１と鋸刃体２の維持角度を選択できるようにしたものである。
【００２０】
また収納時係止凹部２４は、枢結軸３を中心とした場合に、使用時係止凹部２３Ａ，２３Ｂの距離と対応する位置に設けたもので、鋸刃体２が挿入溝１１から離脱する回動に対して回動阻止面となる側縁（阻止面）２４ａを有する形状とし、後述する係止軸４２が嵌り込んで係合するようにしたものである。
【００２１】
また基部外縁２５は、使用時係止凹部２３Ｂの直前部分２５ａ（鋸刃体２の峰部終端）、及び収納時係止凹部２４の直前部分２５ｂ（鋸刃体２の歯辺終端）を、鋸刃体２の回動に際して係止爪４１を押し上げる半径（数結軸３からの）とし、その間の範囲は前記半径円より内方で係止爪４１に当接しない形状に形成してなる。
【００２２】
ロック操作体４は、適宜大きさの側面部４３を備え、支軸４４で背金部１２に枢結してシーソー動作可能に設けたもので、先部に係止爪４１を垂設し、後部上面に操作用の押圧部４５を設け、押圧部４５を押し上げる方向に付勢するバネ部４６を設け、更に側面部４３に操作溝４７を設けたものである。
【００２３】
前記の側面部４３は、鋸刃体２の収納状態時に収納時係止凹部２４の位置が含まれる範囲に設けたものであり、係止軸４２は操作溝４７内を移動可能に架設し、且つ係止軸４２はガイド溝１３を貫通するものである。
【００２４】
前記の操作溝４７とガイド溝１３の関係は、ガイド溝１３を、背金部１２の側面に収納時係止凹部２４の阻止面２４ａから離れる方向に形成し、操作溝４７は、前記ガイド溝１３と交差して形成し、ロック操作体４の回動動作と、係止軸４２の収納時係止凹部２４への出入（嵌り込み及び離脱）が対応するように形成したものである。
【００２５】
而して、使用時のロックは従前の折込鋸と同様で、枢結軸３を中心に鋸刃体２を回動して、柄体１と一本の棒状の位置にすると、基部２１の外縁２５ａによって係止爪４１がロック操作体４の付勢力に抗して持ち上げられ、所定位置に達すると係止爪４１が使用時係止凹部２３Ａ（又は２３Ｂ）に嵌り込んで係合状態となり、鋸刃体２の回動が阻止されロック状態となる。
【００２６】
前記のロック状態で折込鋸が使用されるもので、使用後は、押圧部４５を下圧してロック操作体４を回動操作し、係止爪４１を使用時係止凹部２３Ａ（又は２３Ｂ）から離脱させると鋸刃体２は自由に回動できるので、収納方向に回動する。この回動時には、基部外縁２５は、係止爪４１に当接しないので、ロック操作体４はロック時と同様の位置を保つ。
【００２７】
更に鋸刃体２が柄体１に近づいて挿入溝１１に侵入する状態で、基部外縁の収納時係止凹部２４の直前部分２５ｂが係止軸４２と衝突し、係止軸４２は峰側に押し上げられてガイド溝１３及び操作溝４７に添って上昇し、同時にロック操作体４も回動する。
【００２８】
係止軸４２が収納時係止凹部２４の位置に達すると、ロック操作体４の付勢力で係止軸４２が収納時係止凹部２４内に嵌り込み係合され、鋸刃体２は柄体１に折込収納されることになる。
【００２９】
この収納時においては、阻止面２４ａとの衝突によって収納時係止凹部２４と係止軸４２が係合され、鋸刃体２が柄体１から外れる方向へ回動するのが阻止され、ロック状態となり、鋸体２が突然回動して飛び出す危険性がない。
【００３０】
収納状態から使用状態に移行させるには、押圧部４５を下圧してロック操作体４を回動操作するもので、前記の操作によって係止軸４２は、操作溝４７とガイド溝１３の一致する個所（交差個所）に移動し、この移動によって係止軸４２が収納時係止凹部２４から離脱するので、鋸刃体２は自由に回動でき、使用状態に移行させることができる。
【００３１】
このように使用時及び収納時で鋸刃体がロックされ、安全に使用し且つ安全に収納しておくことができると共に、使用時と収納時の係止構造（ロック構造）を、ロック操作体４の異なる係止部（係止爪４１及び係止軸４２）で実現することで、従前のとおり同一係止部で実現した場合（図６の二点鎖線で表示）に比較して鋸刃体２の基部２１（基部外縁２５）の形状をコンパクトにすることができるものである。
【図面の簡単な説明】
【００３２】
【図１】本発明の実施形態の要部の分解斜視図。
【図２】同全体図（使用状態時）。
【図３】同図（収納状態時）。
【図４】同使用時のロック状態を示す要部断面図。
【図５】同収納時のロック状態を示す要部外観図。
【図６】同断面図。
【図７】同収納時のロック解除を示す要部外観図。
【図８】同断面図。
【図９】同非ロック状態の要部断面図。
【符号の説明】
【００３３】
１        柄体
１１      挿入溝
１２      背金部
１３      ガイド溝
２        鋸刃体
２１      基部
２２      鋸歯
２３Ａ，２３Ｂ  使用時係止凹部
２４      収納時係止凹部
２５      基部外縁
３        枢結軸
４        ロック操作体
４１      係止爪
４２      係止軸
４３      側面部
４４      支軸
４５      押圧部
４６      バネ部
４７      操作溝
【図１】
2010042550.tif 000003
【図２】
2010042550.tif 000004
【図３】
2010042550.tif 000005
【図４】
2010042550.tif 000006
【図５】
2010042550.tif 000007
【図６】
2010042550.tif 000008
【図７】
2010042550.tif 000009
【図８】
2010042550.tif 000010
【図９】
2010042550.tif 000011